(57)【特許請求の範囲】
【請求項１】
回転の中心位置が互いに異なる複数の絞り羽根により基板に形成された開口への光量を調節するカメラ用絞り装置において、
前記基板には、前記複数の絞り羽根と該絞り羽根を回転させるためのギヤとが設けられ、
前記絞り羽根は、単一の絞り開口部を有し、
前記絞り羽根の外周面には、前記ギヤに噛合する受動ギヤ部が形成されており、
前記絞り開口部は、前記絞り羽根の回転中心を含む領域に設けられており、
前記ギヤは、少なくとも２つの前記絞り羽根の各前記受動ギヤ部に噛合し、
前記基板には、前記開口の中心から同一径上に前記開口の中心を中心として等角度間隔で設けられた少なくとも２つのガイドピンを有し、
前記絞り羽根は、前記ガイドピンの１つに係合して前記基板に対する回転駆動を案内するガイド溝が形成され、
前記ガイドピンは、前記ガイドピンにより回転駆動を案内される前記絞り羽根以外の他の前記絞り羽根の外周部に摺接する、ことを特徴とするカメラ用絞り装置。
【請求項２】
前記ギヤは、モータの駆動力を前記絞り羽根に伝える駆動ギヤを含み、
前記駆動ギヤは、少なくとも２つの前記絞り羽根の各受動ギヤ部に噛合して、前記絞り羽根に回転駆動力を伝達することを特徴とする請求項１に記載のカメラ用絞り装置。
【請求項３】
前記ギヤは、少なくとも２つの前記絞り羽根の各前記受動ギヤ部に噛合し、
前記受動ギヤ部は、互いに異なる位置に配置された複数の前記ギヤに噛合し、
前記受動ギヤ部の歯数は、以下の条件式（１）を満足することを特徴とする請求項１又は２に記載のカメラ用絞り装置。
【数１】
0004633646.tif 000004
但し、Ｚａは絞り羽根の受動ギヤ部の歯数、Ｚｐはギヤの歯数、αはギヤの回転中心と絞り羽根の回転中心とを結ぶ直線と、隣り合うギヤの回転中心と絞り羽根の回転中心とを結ぶ直線との角度、βはギヤの回転中心と絞り羽根の回転中心とを結ぶ直線と、ギヤの回転中心と基板の開口の中心とを結ぶ直線との角度、Nはギヤの数、ｎは負の数を含む整数、Ｃは整数を示す。
【請求項４】
前記ガイドピンは、前記ガイドピンにより回転駆動を案内される前記絞り羽根以外の他の前記絞り羽根と重ならない領域に形成されていることを特徴とする請求項１に記載のカメラ用絞り装置。
【請求項５】
前記受動ギヤ部は、互いに異なる位置に配置された複数の前記ギヤに噛合することを特徴とする請求項１乃至４のいずれか１項に記載のカメラ用絞り装置。
【請求項６】
前記絞り開口部は、複数の前記絞り羽根の所定の回転角に応じて前記基板に形成された開口の面積を変更可能に形成されていることを特徴とする請求項１乃至５のいずれか１項に記載のカメラ用絞り装置。
【請求項７】
前記絞り開口部の絞り開口形成縁は、絞り開口の面積が大きくなるにつれて曲率半径の大きな円弧で形成されていることを特徴とする請求項６に記載のカメラ用絞り装置。
【発明の詳細な説明】
【技術分野】
【０００１】
本発明は、カメラ用絞り装置に関する。
【背景技術】
【０００２】
従来のカメラ用絞り装置として、複数の絞り羽根を駆動するリング状駆動部材を駆動させて、基板に形成された開口への光量を多段階で調整するものが知られている。
例えば特許文献１において開示されているカメラ用絞り装置は、リング状駆動部材の外周に形成された歯部に噛合するギヤを回転駆動させることにより、リング状駆動部材を駆動させる。
【０００３】
【特許文献１】特開平２００５−１８９６５６号公報
【発明の開示】
【発明が解決しようとする課題】
【０００４】
しかしながら、上記のカメラ用絞り装置は、複数の絞り羽根を駆動するためにリング状駆動部材を設けている。このため、カメラ用絞り装置の大きさは、リング状駆動部材の大きさに依存し、小型化を図ることが困難であるという問題点があった。
また、絞り羽根は、ギヤからリング状駆動部材を介して駆動されるため、リング状駆動部材の組み付けが必要となり、カメラ用絞り装置の製造工程が複雑になるという問題点があった。
【０００５】
そこで、本発明の目的は、リング状駆動部材を介在することなく直接絞り羽根を駆動させることにより、リング状駆動部材の大きさに依存することなく小型化を図ることができるカメラ用絞り装置を提供することである。
【課題を解決するための手段】
【０００６】
上記目的は、回転の中心位置が互いに異なる複数の絞り羽根により基板に形成された開口への光量を調節するカメラ用絞り装置において、前記基板には、前記複数の絞り羽根と該絞り羽根を回転させるためのギヤとが設けられ、前記絞り羽根は、単一の絞り開口部を有し、前記絞り羽根の外周面には、前記ギヤに噛合する受動ギヤ部が形成されているカメラ用絞り装置によって達成できる。
【０００７】
この構成により、絞り羽根の外周面に形成された受動ギヤ部と、絞り羽根に駆動力を伝達するギヤとが噛合するため、直接絞り羽根を駆動させることができる。従って、絞り羽根を駆動させるためのリング状駆動部材を設ける必要がない。このため、リング状駆動部材の大きさに依存することなくカメラ用絞り装置の小型化を図ることができる。また、リング状駆動部材を設ける必要がないので、カメラ用絞り装置１の薄型化を図ることができる。更に、リング状駆動部材を設ける必要がないので、カメラ用絞り装置の組み付け工程も容易となり、製造コストの低下を図ることができる。
【０００８】
また、絞り羽根は単一の絞り開口部を有しているため、絞り羽根に大きさの異なる開口部を複数設けて絞り量を調整する場合と比較し、絞り羽根自体を小型化することができる。これにより、カメラ用絞り装置の小型化を図ることができる。また、絞り羽根は単一の絞り開口部のみを有しているため、強度上の不安も減少される。
【０００９】
また、上記構成において、前記ギヤは、モータの駆動力を前記絞り羽根に伝える駆動ギヤを含み、前記駆動ギヤは、少なくとも２つの前記絞り羽根の各受動ギヤ部に噛合して、前記絞り羽根に回転駆動力を伝達する、構成を採用できる。
この構成により、単一のギヤによって複数の絞り羽根を駆動させることができる。
【００１０】
また、上記構成において、前記ギヤは、所定の前記絞り羽根の回転駆動に伴って従動回転する従動ギヤを含み、前記従動ギヤは、前記所定の絞り羽根以外の他の前記絞り羽根に回転駆動力を伝達する、構成を採用できる。
【００１１】
この構成により、ギヤは所定の絞り羽根の駆動力を他の絞り羽根へ伝達するので、所定の絞り羽根のみを回転駆動させることにより、他の絞り羽根についても駆動させることができる。これにより、２以上の絞り羽根を回転駆動させるためには、所定の絞り羽根のみを回転駆動させればよく、絞り羽根毎にアクチュエータ等の駆動源を設ける必要はない。
【００１２】
また、上記構成において、前記ギヤは、少なくとも２つの前記絞り羽根の各前記受動ギヤ部に噛合し、前記受動ギヤ部は、互いに異なる位置に配置された複数の前記ギヤに噛合し、前記受動ギヤ部の歯数は、以下の条件式（１）を満足する、構成を採用できる。
【００１３】
【数２】
0004633646.tif 000002
【００１４】
但し、Ｚａは絞り羽根の受動ギヤ部の歯数、Ｚｐはギヤの歯数、αはギヤの回転中心と絞り羽根の回転中心とを結ぶ直線と、隣り合うギヤの回転中心と絞り羽根の回転中心とを結ぶ直線との角度、βはギヤの回転中心と絞り羽根の回転中心とを結ぶ直線と、ギヤの回転中心と基板の開口の中心とを結ぶ直線との角度、Nはギヤの数、ｎは負の数を含む整数、Ｃは整数を示す。
【００１５】
この構成により、ギヤが２以上の絞り羽根の各受動ギヤ部に噛合し、受動ギヤ部は、互いに異なる位置に配置された複数のギヤに噛合する場合であっても、複数の絞り羽根をスムーズに回転駆動させることができる。
また、上記構成において、前記絞り開口は、前記絞り羽根の回転中心を含む領域に設けられている構成を採用できる。絞り開口部を回転中心に設けることにより、高精度の絞り制御が可能となる。また、回転中心に軸部材を設けていないため、他の絞り羽根に軸を逃がすスペースを設ける必要がなく、設計が容易になり低コスト化が図れる。
【００１６】
また、上記構成において、前記絞り羽根は、ガイドピンに係合して前記基板に対する回転駆動を案内するガイド溝が形成されている、構成を採用できる。
この構成により、回転軸を設けなくても、絞り羽根の回転駆動をスムーズに行うことができる。
【００１７】
また、上記構成において、前記ガイドピンは、前記ガイドピンにより回転駆動を案内される絞り羽根以外の他の絞り羽根と重ならない領域に形成されている、構成を採用できる。
この構成により、他の絞り羽根の回転駆動の障害とならずに、絞り羽根の回転駆動をスムーズに行うことができる。
【００１８】
また、上記構成において、前記ガイドピンは、前記ガイドピンにより回転駆動を案内される絞り羽根以外の他の絞り羽根の外周部に摺接して前記他の絞り羽根のガタつきを抑制する、構成を採用できる。
この構成により、他の絞り羽根の半径方向のガタつきを抑制できるので、他の絞り羽根の回転駆動をスムーズに行うことができる。更にガタつきの抑制により、作動音を減少させることができる。
【００１９】
また、上記構成において、前記受動ギヤ部は、互いに異なる位置に配置された複数の前記ギヤに噛合する、構成を採用でできる。
【００２０】
このような構成により、絞り羽根は、ガイドピンに係合し、他の絞り羽根の回転駆動を案内するガイドピンに摺接し、複数のギヤに噛合する。このように、絞り羽根に対して、多くの部材が介在するため、更に安定した状態で回転駆動をスムーズに行うことができる。これにより、絞り羽根の半径方向のガタつきの発生を更に抑制でき、作動音を更に減少させることができる。
【００２１】
また、上記構成において、前記絞り開口部は、複数の前記絞り羽根の所定の回転角に応じて前記基板に形成された開口の面積を所定値に変更可能に形成されている、構成を採用できる。
このような構成により、絞り羽根の回転角に応じて、基板に形成された開口への光量を微調整することができる。
【００２２】
また、上記構成において、前記絞り開口部の絞り開口形成縁は、絞り開口の面積が大きくなるにつれて曲率半径の大きな円弧で形成されている、構成を採用できる。
このような構成により、絞り羽根に大きさの異なる開口部を複数設けて絞り量を調整する場合と比較し、絞り羽根の回転角に応じて、基板に形成された開口への光量を更に微調整することができる。
【発明の効果】
【００２３】
リング状駆動部材を介在することなく直接絞り羽根を駆動させることにより、小型化を図ることができるカメラ用絞り装置を提供できる。
【発明を実施するための最良の形態】
【００２４】
以下、図面を参照して本発明に係る実施例を説明する。
【００２５】
図１は、本発明に係るカメラ用絞り装置１の平面図である。
カメラ用絞り装置１は、基板１０、開口１１、ガイドピン１２ａ、１２ｂ、１２ｃ、アクチュエータ２０、駆動ギヤ３０ａ、従動ギヤ３０ｂ、３０ｃ、絞り羽根４０ａ、４０ｂ、４０ｃ、絞り開口部４１ａ、４１ｂ、４１ｃ、ガイド溝４２ａ、４２ｂ、４２ｃ、受動ギヤ部４３ａ、４３ｂ、４３ｃなどから構成される。
【００２６】
基板１０には、その略中心に開口１１が形成されている。また、基板１０には、光軸方向の被写体側（図１の紙面垂直方向の手前側）に延伸するガイドピン１２ａ、１２ｂ、１２ｃが形成されている。このガイドピン１２ａ、１２ｂ、１２ｃは、各絞り羽根のガイド溝４２ａ、４２ｂ、４２ｃに係合する。ガイドピン１２ａ、１２ｂ、１２ｃは、摺動しやすい部材で形成されている。
【００２７】
駆動ギヤ３０ａ、従動ギヤ３０ｂ、３０ｃは、基板１０上に回転可能に支持されている。また、駆動ギヤ３０ａはアクチュエータ２０の回転軸と連結され、駆動ギヤ３０ａは、アクチュエータ２０の回転によって回転駆動する。従動ギヤ３０ｂ、３０ｃは、絞り羽根４０ａ、４０ｂ、４０ｃの回転駆動に伴って従動回転する。また、駆動ギヤ３０ａは、受動ギヤ部４３ａ、４３ｃと噛合する。同様に従動ギヤ３０ｂは、受動ギヤ部４３ａ、４３ｂと噛合し、従動ギヤ３０ｃは、受動ギヤ部４３ｂ、４３ｃと噛合する。
【００２８】
絞り羽根４０ａ、４０ｂ、４０ｃは、回転の中心位置が互いに異なるように配置されている。絞り羽根４０ａ、４０ｂ、４０ｃには、夫々に絞り開口部４１ａ、４１ｂ、４１ｃが形成されている。絞り開口部４１ａ、４１ｂ、４１ｃは、絞り羽根４０ａ、４０ｂ、４０ｃの回転中心を含む領域に設けられ、絞り羽根４０ａ、４０ｂ、４０ｃには、回転中心に軸部材が設けられていない。また、絞り羽根４０ａ、４０ｂ、４０ｃの回転中心は基板１０の開口１１内にもなっている。絞り開口部を回転中心を含む領域に設けることにより、絞り羽根外周より絞り開口部の開口縁の移動量が少なくなり、高精度の絞り制御が可能となる。また、回転中心に軸部材を設けていないため、他の絞り羽根に軸を逃がすスペースを設ける必要がなく、設計が容易になり低コスト化が図れる。また、絞り開口部４１ａ、４１ｂ、４１ｃは開口１１より大径の開口となっている。絞り羽根４０ａ、４０ｂ、４０ｃが回転駆動することにより、絞り開口部４１ａ、４１ｂ、４１ｃの重なり合いの状態が変化し、基板１０に形成された開口１１への光量が調整される。また、絞り羽根４０ａ、４０ｂ、４０ｃには、夫々にガイド溝４２ａ、４２ｂ、４２ｃが形成されている。ガイド溝４２ａ、４２ｂ、４２ｃには、ガイドピン１２ａ、１２ｂ、１２ｃが係合する。また、絞り羽根４０ａ、４０ｂ、４０ｃには、夫々に従動ギヤ部４３ａ、４３ｂ、４３ｃが形成されている。尚、絞り羽根４０ａ、４０ｂ、４０ｃは、夫々同一形状である。
【００２９】
以下にカメラ用絞り装置１の機構についてより詳細に説明する。図２は、基板１０、駆動ギヤ３０ａ、従動ギヤ３０ｂ、３０ｃの構成を示した図である。尚、アクチュエータ２０、絞り羽根４０ａ、４０ｂ、４０ｃについては省略してある。
【００３０】
基板１０には、前述したように、駆動ギヤ３０ａ、従動ギヤ３０ｂ、３０ｃが回転可能に配置されている。この駆動ギヤ３０ａ、従動ギヤ３０ｂ、３０ｃは、開口１１の中心（光軸）から同一径上に配置されている。また、駆動ギヤ３０ａ、従動ギヤ３０ｂ、３０ｃは、隣り合うギヤまでの距離が等しくなるように、略１２０°毎に均等に配置されている。
ガイドピン１２ａ、１２ｂ、１２ｃも同様に、開口１１の中心から同一径上に、略１２０°毎に均等に配置されている。また、ガイドピン１２ａ、１２ｂ、１２ｃは、開口１１の中心から駆動ギヤ３０ａ、従動ギヤ３０ｂ、３０ｃまでの距離よりも、近い位置に配置されている。
【００３１】
図３は、基板１０と絞り羽根４０ａと駆動ギヤ３０ａ、従動ギヤ３０ｂ、３０ｃとの構成を示した図である。尚、アクチュエータ２０、絞り羽根４０ｂ、４０ｃについては省略してある。
【００３２】
図３に示すように、絞り羽根４０ａは、略円形状に形成されている。その中心に、絞り開口部４１ａが形成されている。また、絞り羽根４０ａの外周面には、受動ギヤ部４３ａが形成されている。受動ギヤ部４３ａは、絞り羽根４０ａの一部の領域を除いた外周面に形成されている。ガイド溝４２ａは、ガイドピン１２ａと係合する。絞り羽根４０ａは、その回転の中心位置が開口１１の中心位置とは異なる位置に配置されている。
【００３３】
図３に示すように、絞り羽根４０ａは、単一の絞り開口部４１ａを有している。これにより、絞り羽根に大きさの異なる開口部を複数設けて絞り量を調整する場合と比較し、絞り羽根自体を小型化することができる。
【００３４】
また、絞り羽根４０ａの外周面には、絞り羽根４０ａを回転させるための駆動ギヤ３０ａに噛合する受動ギヤ部４３ａが形成されている。これにより、絞り羽根４０ａの外周面に形成された受動ギヤ部４３ａと、絞り羽根４０ａに駆動力を伝達する駆動ギヤ３０ａとが噛合するため、直接絞り羽根４０ａを駆動させることができる。従って、絞り羽根４０ａを駆動させるためのリング状駆動部材を設ける必要がない。このため、リング状駆動部材の大きさに依存することなくカメラ用絞り装置１の小型化を図ることができる。また、リング状駆動部材を設ける必要がないので、カメラ用絞り装置１の薄型化を図ることができる。
更に、リング状駆動部材を設ける必要がないので、カメラ用絞り装置１の組み付け工程も容易となり、製造コストの低下を図ることができる。
尚、受動ギヤ部４３ａは、絞り羽根４０ａの一部の領域を除いた外周面に形成されている。受動ギヤ部４３ａが形成されていない領域においては、駆動ギヤ３０ａ及び従動ギヤ３０ｂが噛合することはない。このため、絞り羽根４０ａの外周面の、受動ギヤ部４３ａが形成されていない領域によって、絞り羽根４０ａの回転量を所定範囲内に規制することができる。
また、図３に示した状態から駆動ギヤ３０ａが反時計方向に回転することにより、絞り羽根４０ａは時計方向に回転する。絞り羽根４０ａは時計方向に回転することにより、従動ギヤ３０ｂは、時計方向に回転する。
【００３５】
絞り羽根４０ａには、ガイドピン１２ａに係合して基板１０に対する回転駆動を案内するガイド溝４２ａが形成されている。このガイド溝４２ａは、絞り羽根４０ａの回転中心から同一径の半円弧形状に形成されている。これにより、回転軸を設けなくても、絞り羽根４０ａの回転駆動をスムーズに行うことができる。
【００３６】
また、ガイド溝４２ａは、半円弧形状に形成されているため、ガイドピン１２ａがガイド溝４２ａの両端部に当接することにより、絞り羽根４０ａの回転量を所定範囲内に規制する。以上により、受動ギヤ部４３ａが形成されていない領域と、ガイド溝４２ａとによって、絞り羽根４０ａの回転量は規制される。
以上により、アクチュエータ２０の回転量の制御を正確に行わない場合であっても、機構的に絞り羽根４０ａの回転量を正確に規制するができ、回転精度を高く維持することができる。
【００３７】
また、ガイドピン１２ｂ、１２ｃは、後述する絞り羽根４０ｂ、４０ｃに形成されているガイド溝４２ｂ、４２ｃに係合する。また、ガイドピン１２ｂ、１２ｃは、絞り羽根４０ａ（ガイドピン１２ｂ、１２ｃにより回転駆動を案内される絞り羽根以外の他の絞り羽根）と重ならない領域に形成されている。これにより、絞り羽根４０ａの回転駆動の障害とならずに、絞り羽根４０ａの回転駆動をスムーズに行うことができる。
【００３８】
ガイドピン１２ｂは、絞り羽根４０ａ（ガイドピン１２ｂにより回転駆動を案内される絞り羽根４０ｂ以外の絞り羽根）の外周部に摺接して絞り羽根４０ａのガタつきを抑制する。即ち、絞り羽根４０ａは、ガイドピン１２ｂに対して摺動可能に当接する。これにより、絞り羽根４０ａの半径方向のガタつきを抑制できるので、絞り羽根４０ａの回転駆動をスムーズに行うことができる。更にガタつきの抑制により、作動音を減少させることができる。
ガイドピン１２ｃも同様に、絞り羽根４０ａの外周部に周接して絞り羽根４０ａのガタつきを抑制する。
尚、ガイドピン１２ａは、絞り羽根４０ｂ、４０ｃの外周部に周接して絞り羽根４０ｂ、４０ｃのガタつきを抑制する。また、ガイドピン１２ｂは、絞り羽根４０ａ以外に絞り羽根４０ｃの外周部にも摺接してガタつきを抑制しており、ガイドピン１２ｃは、絞り羽根４０ａ以外に絞り羽根４０ｂの外周部にも摺接してガタつきを抑制している。
【００３９】
受動ギヤ部４３ａは、互いに異なる位置に配置された複数のギヤである駆動ギヤ３０ａ、従動ギヤ３０ｂに噛合する。即ち、絞り羽根４０ａは、ガイドピン１２ａに係合し、他の絞り羽根４０ｂ、４０ｃの回転駆動を案内するガイドピン１２ｂ、１２ｃに摺接し、複数のギヤである駆動ギヤ３０ａ、従動ギヤ３０ｂに噛合する。このように、絞り羽根４０ａに対して、多くの部材が介在するため、更に安定した状態で回転駆動をスムーズに行うことができる。これにより、絞り羽根４０ａの半径方向のガタつきの発生を更に抑制でき、作動音を更に減少させることができる。また、絞り羽根４０ａに対して、多くの部材が介在するため、回転軸を設けなくとも、位置精度を高く維持することができる。
尚、従動ギヤ３０ｃは、絞り羽根４０ａに噛合しない。詳しくは後述する。
【００４０】
次に、絞り羽根４０ｂ周辺の機構について説明する。尚、絞り羽根４０ｂの基本的な構成は、絞り羽根４０ａと同様であるため、重複する説明は省略する。
図４は、基板１０と絞り羽根４０ｂとギヤ３０ａ、３０ｂ、３０ｃとの構成を示した図である。尚、アクチュエータ２０、絞り羽根４０ａ、４０ｃについては省略してある。
【００４１】
図４に示すように、従動ギヤ３０ｂは、絞り羽根４０ａ、４０ｂの各受動ギヤ部４３ａ、４３ｂに噛合する。また、絞り羽根４０ａは、駆動ギヤ３０ａから回転駆動力を伝達される。回転駆動力が与えられた絞り羽根４０ａは、従動ギヤ３０ｂに回転駆動力を与える。従動ギヤ３０ｂは、絞り羽根４０ｂに回転駆動力を与える。このように、従動ギヤ３０ｂは、絞り羽根４０ａの回転駆動に伴って従動回転すると共に、絞り羽根４０ａ以外の他の絞り羽根４０ｂに回転駆動力を伝達する。これにより、従動ギヤ３０ｂは絞り羽根４０ａの駆動力を絞り羽根４０ｂへ伝達するので、絞り羽根４０ａのみを回転駆動させることにより、絞り羽根４０ｂについても駆動させることができる。これにより、２以上の絞り羽根を回転駆動させるためには、所定の絞り羽根にのみ回転駆動させればよく、絞り羽根毎にアクチュエータ等の駆動源を設ける必要はない。
【００４２】
次に、絞り羽根４０ｃ周辺の機構について説明する。尚、絞り羽根４０ｃの基本的な構成は、絞り羽根４０ａと同様であるため、重複する説明は省略する。
図５は、基板１０と絞り羽根４０ｃと駆動ギヤ３０ａ、従動ギヤ３０ｂ、３０ｃとの構成を示した図である。尚、アクチュエータ２０、絞り羽根４０ａ、４０ｂについては省略してある。
【００４３】
図５に示すように、受動ギヤ部４３ｃは、互いに異なる位置に配置された複数のギヤ３０ａ、３０ｃに噛合する。
尚、従動ギヤ３０ｂは、絞り羽根４０ｃに噛合しない。
従動ギヤ３０ｃは絞り羽根４０ｂ、４０ｃの各受動ギヤ部４３ｂ、４３ｃに噛合する。また、絞り羽根４０ｂは、従動ギヤ３０ｂから回転駆動力を伝達される。回転駆動力が与えられた絞り羽根４０ｂは、従動ギヤ３０ｃに回転駆動力を与える。従動ギヤ３０ｃは、絞り羽根４０ｃに回転駆動力を与える。
【００４４】
また、駆動ギヤ３０ａは絞り羽根４０ａ、４０ｃの各受動ギヤ部４３ａ、４３ｃに噛合して、絞り羽根４０ａ、４０ｃに回転駆動力を伝達する。これにより、単一のギヤによって複数の絞り羽根を駆動させることができる。
【００４５】
次に、ガイドピンについて詳細に説明する。図６は、図１におけるガイドピン１２ａの周辺の構成を示した図である。尚、見やすいように全て実線で示している。
【００４６】
図６に示すように、ガイドピン１２ａは、ガイド溝４２ａと絞り羽根４０ｃの外周面（受動ギヤ部４３ｃ）との双方に摺動する第１摺動面１２ａａと、絞り羽根４０ｂの外周面（受動ギヤ部４３ｂ）に摺動する第２摺動面１２ａｂが形成されている。このように、ガイドピン１２ａは、２つの摺動面を持つことにより、絞り羽根４０ａの回転駆動を案内するとともに、絞り羽根４０ｂ、４０ｃのガタつきの防止を図ることができる。
尚、ガイドピン１２ｂ、１２ｃは、ガイドピン１２ａと同様の形状及び機能を有している。
【００４７】
次に、絞り羽根の外周部に形成された受動ギヤ部の歯数について説明する。図７は、受動ギヤ部の歯数の説明図である。尚、受動ギヤ部の歯数について、絞り羽根４０ａを例に説明する。また、図７において、基板１０の外形やガイド溝４２ａ等については省略してある。
【００４８】
上述したように、本実施例に係るカメラ用絞り装置１は、少なくとも２以上の絞り羽根の各受動ギヤ部に噛合するギヤを有し、受動ギヤ部は、互いに異なる位置に配置された複数のギヤに噛合する。このため、複数の絞り羽根をスムーズに回転駆動させるためには、受動ギヤ部の歯数は、以下の条件式（１）を満足する必要がある。
【００４９】
【数３】
0004633646.tif 000003
【００５０】
但し、Ｚａは、絞り羽根４０ａの受動ギヤ部４３ａの歯数、Ｚｐは、駆動ギヤ３０ａ又は従動ギヤ３０ｂの歯数を示す。
αは、駆動ギヤ３０ａの回転中心３０ａＡと絞り羽根４０ａの回転中心４１ａＡとを結ぶ直線と、隣り合う従動ギヤ３０ｂの回転中心３０ｂＡと絞り羽根４０ａの回転中心４１ａＡとを結ぶ直線との角度を示す。
βは、駆動ギヤ３０ａの回転中心３０ａＡ（又は従動ギヤ３０ｂの回転中心３０ｂＡ）と絞り羽根４０ａの回転中心４１ａＡとを結ぶ直線と、駆動ギヤ３０ａの回転中心３０ａＡ（又は従動ギヤ３０ｂの回転中心３０ｂＡ）と基板１０の開口１１の中心１１Ａとを結ぶ直線との角度を示す。Ｎはギヤの数、ｎは、負の数を含む整数、Ｃは、整数を示す。
【００５１】
上記式を満たすことにより、受動ギヤ部４３ａの歯数が上記式を満たすことにより、駆動ギヤ３０ａ、従動ギヤ３０ｂは複数の絞り羽根をスムーズに回転駆動させることができる。
【００５２】
次に、絞り開口部４１ａ、４１ｂ、４１ｃの形状について説明する。絞り開口部４１ａ、４１ｂ、４１ｃは円錐形に似た略涙滴形状をしている。絞り開口部４１ａ、４１ｂ、４１ｃは、絞り羽根４０ａ、４０ｂ、４０ｃの所定の回転角に応じて基板１０に形成された開口１１の面積を所定値に変更可能に形成されている。これにより、絞り羽根４０ａ、４０ｂ、４０ｃの回転角に応じて、基板１０に形成された開口１１への光量を微調整することができる。
【００５３】
また、絞り開口部４１ａ、４１ｂ、４１ｃの内径は、絞り羽根４０ａ、４０ｂ、４０ｃの回転角に応じて大きくなるように形成されている。つまり、絞り開口部４１ａ、４１ｂ、４１ｃの絞り開口形成縁４１ａ１、４１ｂ１，４１ｃ１は、絞り開口の面積が大きくなるにつれて曲率半径の大きな円弧で形成されている。これにより、絞り羽根に大きさの異なる開口部を複数設けて絞り量を調整する場合と比較し、絞り羽根４０ａ、４０ｂ、４０ｃの回転角に応じて、基板１０に形成された開口１１への光量を更に微調整することができる。
【００５４】
以上本発明の好ましい一実施形態について詳述したが、本発明は係る特定の実施形態に限定されるものではなく、特許請求の範囲に記載された本発明の要旨の範囲内において、種々の変形・変更が可能である。
上記実施例においては、絞り羽根を３枚用いて説明し、絞り羽根に形成された受動ギヤ部に噛合するギヤを３つ備えているが、このような構成に限定されない。
【図面の簡単な説明】
【００５５】
【図１】本発明に係るカメラ用絞り装置の平面図である。
【図２】基板１０、駆動ギヤ３０ａ、従動ギヤ３０ｂ、３０ｃの構成を示した図である。
【図３】基板１０と絞り羽根４０ａと駆動ギヤ３０ａ、従動ギヤ３０ｂ、３０ｃとの構成を示した図である。
【図４】基板１０と絞り羽根４０ｂとギヤ３０ａ、３０ｂ、３０ｃとの構成を示した図である。
【図５】基板１０と絞り羽根４０ｃと駆動ギヤ３０ａ、従動ギヤ３０ｂ、３０ｃとの構成を示した図である。
【図６】図１におけるガイドピン１２ａの周辺の構成を示した図である。
【図７】受動ギヤ部の歯数の説明図である。
【符号の説明】
【００５６】
１                          カメラ用絞り装置
１０                        基板
１１                        開口
１２ａ、１２ｂ、１２ｃ      ガイドピン
１２ａａ                    第１摺動面
１２ａｂ                    第２摺動面
２０                        アクチュエータ
３０ａ                      駆動ギヤ
３０ｂ、３０ｃ              従動ギヤ
４０ａ、４０ｂ、４０ｃ      絞り羽根
４１ａ、４１ｂ、４１ｃ      絞り開口部
４１ａ１，４１ｂ１，４１ｃ１  絞り開口形成縁
４２ａ、４２ｂ、４２ｃ      ガイド溝
４３ａ、４３ｂ、４３ｃ      受動ギヤ部
【図１】
0004633646.tif 000005
【図２】
0004633646.tif 000006
【図３】
0004633646.tif 000007
【図４】
0004633646.tif 000008
【図５】
0004633646.tif 000009
【図６】
0004633646.tif 000010
【図７】
0004633646.tif 000011